(57)【要約】移動通信装置のメモリに保存されたプライベートのデータ項目を自動的に表示することを防止するためのプライバシースタンプである。本通信装置には、保存されたデータ項目にプライバシースタンプを選択的に関連付けるユーザ操作可能手段が設けられ、プライバシースタンプに関連付けられるデータ項目を、プロセッサがユーザインターフェース上に自動的に表示しないようにする。【選択図】図５
2009518987.tif 000002
【特許請求の範囲】
【請求項１】
ユーザインターフェース（5、6）と、プロセッサと、ユーザに規定されたデータ項目を保存するように動作可能であるメモリ（18）と、プライバシースタンプ（31）を前記保存されたデータ項目に選択的に関連付けるユーザ操作可能手段とを備え、前記プロセッサが、前記保存されたデータ項目を、トリガー事象に応じて表示するために前記ユーザインターフェース（5、6）に自動的に供給するように動作可能であり、また前記プロセッサは、前記プライバシースタンプ（31）に関連付けられたデータ項目が、前記ユーザインターフェース（5、6）によって表示されないように、前記プライバシースタンプに応動する、移動通信装置。
【請求項２】
前記データ項目は、発信者IDと関連付けられる連絡先の識別番号を含み、前記トリガー事象は、前記メモリ（18）に保存された呼IDに一致する呼IDを有する着呼を含み、前記着呼の前記連絡先の前記識別番号が自動的に表示されるようにするが、前記プライバシースタンプ（31）がそれに関連付けられる場合は表示されないようにする、請求項1に記載の装置。
【請求項３】
前記プロセッサは、
着呼の前記発信者IDを、前記メモリ（18）に保存された連絡先の前記発信者IDと比較して、前記着呼が前記メモリに保存された連絡先からのものであることを判断し、
前記発信者IDが前記メモリ（18）に存在する場合に、プライバシースタンプ（31）が、前記連絡先に記録されているか否かを判断し、
プライバシースタンプ（31）が存在しない場合に限り、前記存在する発信者IDの前記連絡先の前記識別番号に一致するデータを、前記ユーザインターフェース（5、6）に表示させる、
ように構成される、請求項2に記載の装置。
【請求項４】
前記データ項目は、特定の時間に関連付けられる予定表エントリを含み、前記トリガー事象は、前記メモリ（18）に保存された予定表エントリに関連付けられる前記時間に一致する時間を含み、前記予定表エントリが、自動的に表示されるようにするが、前記プライバシースタンプ（31）がそれに関連付けられる場合は表示されないようにする、請求項１から３のいずれかに記載の装置。
【請求項５】
システムクロック（30）を含み、かつ前記プロセッサは、:
前記システムクロックからの時間を、前記メモリ（18）に保存された予定表エントリと関連付けられた時間とを比較して、前記ユーザインターフェース（5、6）によって表示される予定表エントリを識別し、
表示するように識別された予定表エントリに、プライバシースタンプ（31）が記録されているか否かを判断し、
プライバシースタンプ（31）が存在しない場合に限り、前記予定表エントリに一致するデータを、前記ユーザインターフェース（5、6）に表示させる、
ように構成される、請求項4に記載の装置。
【請求項６】
前記ユーザインターフェース（5、6）は、前記トリガー事象の発生を示す出力を供給するように動作可能であるが、プライバシースタンプ（31）が前記データ項目に関連付けられる場合は、前記関連付けられたデータ項目を表示しない、請求項１から５のいずれかに記載の装置。
【請求項７】
前記トリガー事象の発生を示す前記出力に応じて、前記データ項目の表示を選択するためのユーザ操作可能な手段を含む、請求項6に記載の装置。
【請求項８】
前記ユーザインターフェース（5、6）は、第1および第2のディスプレイを含み、前記第1のディスプレイ（6）は、前記トリガー事象の発生後に、プライバシースタンプ（31）が前記データ項目と関連付けられているか否かに応じて、選択的に前記データ項目を表示するように動作可能であり、前記第2のディスプレイ（5）は、プライバシースタンプ（31）が前記データ項目と関連付けられているか否かに関わらず、前記データ項目を表示するように動作可能である、請求項１から７のいずれかに記載の装置。
【請求項９】
本体は、第1および第2の部分（3、2）を含み、前記第1および第2のディスプレイ（6、5）は前記第1および第2の本体部分にそれぞれ装着され、前記本体部分は、前記第1の本体部分（3）が前記第2のディスプレイ（5）を覆う第1の位置から、前記第2のディスプレイ（5）が前記ユーザによって閲覧可能になる第2の位置まで可動である、請求項8に記載の装置。
【請求項１０】
携帯電話機の送受話器（1）を備える、請求項１から９のいずれかに記載の装置。
【請求項１１】
モノブロック型携帯電話機の送受話器（34）を備え、前記モノブロック型携帯電話機の送受話器（34）はユーザインターフェース（35）を備える、請求項1から7のいずれかに記載の装置。
【請求項１２】
前記ユーザ操作可能手段はキーパッド（8）を含み、前記プロセッサは、前記キーパッド（8）の動作によって選択するために、ユーザの選択可能なオプションを前記ユーザインターフェース（5、6）のディスプレイに提供するように動作可能であり、前記オプションの1つは、前記保存されたデータ項目のうちの選択されたものに前記プライバシースタンプ（31）を適用するように構成される、請求項１から１１のいずれかに記載の装置。
【請求項１３】
ユーザインターフェース（5、6）と、ユーザに規定されたデータ項目を保存するために動作可能なメモリ（18）とを備える移動通信装置を動作させる方法であって、前記保存されたデータ項目を、トリガー事象に応じて表示するために、前記ユーザインターフェース（5、6）に自動的に供給することと、プライバシースタンプ（31）を前記保存されたデータ項目に選択的に関連付けることと、前記プライバシースタンプ（31）に関連付けられたデータ項目が、前記ユーザインターフェース（5、6）によって表示されないようにすることと、を含む方法。
【請求項１４】
請求項13記載の方法を遂行するために、移動通信装置のプロセッサによって実行されるコンピュータプログラム（27）。
【発明の詳細な説明】
【技術分野】
【０００１】
本発明は、プライバシースタンプに関し、具体的には、携帯電話機用のプライバシースタンプに関する。
【背景技術】
【０００２】
携帯電話機の既知の特徴は、いわゆる発信者識別番号つまり発信者IDであり、それによって、発信者の電話番号は、呼を受信する電話機のユーザインターフェース（User Interface; UI）上に表示される。これを実行するために、受信側の電話機は、発信者の番号を含む、呼に関連付けられる信号を復号する。発信者の詳細が受信側の電話機のメモリに保存される場合、UIは、発信者の名前を表示することができる。発信者IDによって、呼を受信する電話機のユーザは、応答しようとする前に、発信者を確認することができる。
【０００３】
また携帯電話機のUIは、一般的に、電話機のカレンダーに入力されたイベントのような、電話機のメモリに保存されるイベントに対してプロンプトを表示する。
【０００４】
このような情報を表示する電話機のUIの不利な点は、電話機の所有者だけでなく、電話機付近にいるその他の任意の者もその情報を読むことができることである。したがって、電話機の所有者が望むようなプライバシーは与えられていない。電話の所有者のプライバシーを保護しようとすると、所有者は、その電話機に備えられる機能、例えば、カレンダーに記録されたプラベートのイベントに対する警告のいくつかを使用しないことを余儀なくされる場合がある。あるいは、ユーザは、電話機を見えない所に隠してもよいが、電話やその他の種類の警告を完全に見逃してしまう可能性がある。
【発明の開示】
【０００５】
本発明によると、ユーザインターフェースと、プロセッサと、ユーザに規定されたデータ項目を保存するように動作可能であるメモリと、プライバシースタンプを保存されたデータ項目に選択的に関連付けるユーザ操作可能手段とを備え、上記プロセッサが、保存されたデータ項目を、トリガー事象に応じて表示するためにユーザインターフェースに自動的に供給するように動作可能であり、また上記プロセッサは、プライバシースタンプに関連付けられたデータ項目が、ユーザインターフェース（5、6）によって表示されないように、プライバシースタンプに応動する、移動通信装置が提供される。
【０００６】
上記データ項目は、発信者IDと関連付けられる連絡先の識別番号を含んでもよく、トリガー事象は、メモリに保存された呼IDに一致する呼IDを有する着呼を含んでもよく、これによって着呼の連絡先の識別番号が自動的に表示されうるが、プライバシースタンプがそれに関連付けられる場合は表示されないようにされうる。
【０００７】
上記データ項目は、特定の時間に関連付けられる予定表エントリを代替的に含んでもよく、トリガー事象は、メモリに保存された予定表エントリに関連付けられる時間に一致する時間を含んでもよく、予定表エントリが、自動的に表示されるようにするが、プライバシースタンプがそれに関連付けられる場合は除く。
【０００８】
上記ユーザインターフェースは、トリガー事象の発生を示す出力を供給するように動作可能であってもよいが、プライバシースタンプがデータ項目に関連付けられる場合は、関連付けられたデータ項目を表示しない。
【０００９】
さらに、本発明によると、プライバシースタンプに関連付けられるデータ項目の表示は、トリガー事象の発生を示す出力に応じて、ユーザ操作可能手段によって選択されてもよい。
【００１０】
上記ユーザインターフェースは、第1および第2のディスプレイを含んでもよく、第1のディスプレイは、トリガー事象の発生後に、プライバシースタンプがデータ項目と関連付けられているか否かに応じて、選択的にデータ項目を表示するように動作可能であり、第2のディスプレイは、プライバシースタンプがデータ項目と関連付けられているか否かに関わらず、データ項目を表示するように動作可能である。
【好適な実施形態の詳細な説明】
【００１１】
本発明の実施形態について、一例として、添付の図面を参照して以下に説明する。
【００１２】
図1を参照すると、本発明に係る移動通信装置は、携帯電話機の送受話器1を備える。送受話器1は、底部2および蓋部3を含む第1および第2の本体部分を備える。底部2および蓋部3は連結され、第1の閉鎖位置から第2の開放位置までヒンジ接合部4により可動である。底部2および蓋部3のサイズはほぼ同じで、実質的に平面であり、深さは長さと幅に比べて大幅に小さい。底部2および蓋部3がヒンジによって離れるように動くことで、電話機の長さのほぼ2倍になるように、ヒンジ接合部4は設けられる。ヒンジが既定点を越えて開放しないように、止め具（図示せず）が設けられる。
【００１３】
電話機の送受話器1が使用されていない場合、ヒンジ接合部4は閉鎖したままである。この位置において、蓋部3は底部2の上部にあり、実質的に底部2を覆っている。ヒンジ接合部4が閉鎖された状態の電話機の送受話器1はよりコンパクトであり、ポケットまたはバックに入れて持ち歩き易い。
【００１４】
電話機の送受話器1は、GSMネットワークなどのセルラー無線ネットワークにおいて動作するように構成されるが、3GネットワークまたはIモードなどのその他のネットワークで使用するように構成されてもよい。
【００１５】
図1および2を参照すると、電話機の送受話器1には、例えば、液晶ディスプレイ（LCD）パネルの形態である2つのユーザインターフェース（UI）が設けられる。UIには、メインUI(5)およびカバーUI(6)が含まれる。2つのUIは、電話機の送受話器1の蓋部3の対向する表面に位置付けられ、背中合わせになるようにする。電話機の送受話器1には、スピーカ7が付加的に設けられ、このスピーカは、蓋部3のメインUI(5)と同じ表面上に位置付けられる。電話機の送受話器1の底部2は、キーパッド8、アンテナ9、およびマイク10を含む電話機の残りの主要部品を収容する。
【００１６】
キーパッド8は、底部2の表面上に位置付けられ、ヒンジ接合部4が閉鎖位置にある場合に、キーパッド8がメインUI(5)と直接向き合うようにする。マイク10は、キーパッド8と同じ表面上に位置付けられる。アンテナ9は、電話機の送受話器1の底部2の内部に位置付けられ、アンテナが送受話器の外部の一部とならないようにする。
【００１７】
再び図1を参照すると、電話機の送受話器1のヒンジ接合部4が閉鎖位置にある場合に、送受話器の蓋部3にあるメインUI(5)は、送受話器の底部2上に表を下にした状態であり、キーパッド8と向き合うようにする。したがって、ヒンジ4が閉鎖されている場合、メインUI(5)およびキーパッド8はユーザから見えない状態にある。カバーUI(6)は、蓋部3のメインUI(5)とは反対側に位置付けられ、外側に向いている。カバーUI(6)は、ヒンジ4の開放および閉鎖の両位置において完全に見える状態にある。
【００１８】
カバーUI(6)の目的は、電話機の送受話器1のヒンジ接合部4が閉鎖されている際にユーザに見える状態の、補助的なUIを提供することにある。カバーUI(6)は、あまり目立たないが、時間、日付、ネットワーク信号強度、および充電残量などの情報を表示する。また、カバーUI(6)は、電話機が呼を受信すると発信者IDを表示する。
【００１９】
図3を参照すると、携帯電話機の送受話器1は、主要ユーザインターフェース5、カバーユーザインターフェース6、スピーカ7、キーパッド8、アンテナ9、マイク10、SIMカード11、SIMカードリーダー12、増幅部13および14、RFサブシステム15、コーデック16、ミクロ制御部17、ならびにメモリ18を備える。
【００２０】
RFサブシステム15は、電話機の送信機および受信機の回路を含む。RFサブシステム15は、電波の受信および送信のためのアンテナ9に連結される。
【００２１】
アンテナ9は、RFサブシステム15を介してコーデック16に連結される。コーデック16は、ミクロ制御部17の制御下で信号を処理するように構成される。
【００２２】
ミクロ制御部17は、メモリ18に保存されたプログラムに基づいて動作し、携帯電話機の送受話器1の動作を制御する。ミクロ制御部17は、同調指示を周波数合成器へ供給するためにRFサブシステム15に連結される。
【００２３】
カバーUI(6)およびメインUI(5)は、制御データを受信するためにミクロ制御部17に連結され、キーパッド8は、ユーザ入力データを供給するためにミクロ制御部17に連結される。図3において、メモリ18は、ミクロ制御部17とは独立して示される。しかしながら、メモリ18および制御部17は、統合ユニットに合わせて含まれてもよい。
【００２４】
増幅部14は、コーデック16からの復調された音声を増幅し、それをスピーカ7に送る。マイク10によって検出された音響信号は、増幅部13によって事前に増幅され、符号化のためにコーデック16に送信される。
【００２５】
ユーザ識別番号に関する情報は、GSMのSIMカードの形態のスマートカード11に保持される。このスマートカードは、通常のGSM国際移動電話加入者識別番号（Iinternational Mobile Subscriber Identity; IMSI）と、既知の方法における無線送信の符号化に使用される暗号化キーKとを含む。SIMカードは、SIMカードリーダー12に取り外し可能に収容される。
【００２６】
図4を参照すると、メモリ18は、ソフトウェア19を含み、そのソフトウェア19を介してユーザは電話機の送受話器1を操作する。ソフトウェア19は、主処理20および複数の補助処理を含む。主処理20は、ネットワークを介したRF通信の送信、受信、および処理に関連する全ての動作を制御し、さらに、補助処理のハブとしての役割を果たす。また、主処理20は、キーパッド8の作動に応じたキーパッド処理21からの入力を受信し、表示処理22および23に指示する。
【００２７】
補助処理は、電話機の送受話器1の付加的な特徴を提供し、個人用電話帳処理24、カレンダー処理25、発信者ID処理26、およびプライバシースタンプ処理27を含む。
【００２８】
補助処理24により提供される個人用電話帳28により、ユーザは、個々の連絡先に関するデータ項目を規定し、それらを電話機のメモリ18に保存することが可能になる。各連絡先エントリには、一般的に、連絡先の名前、電話番号、ファックス番号、郵便番号、および電子メールアドレスなどの情報が含まれる。
【００２９】
補助処理25によって提供されるカレンダー29は、電話機のクロック30と連動して機能し、予定表イベントなどのデータ項目を規定し、それらを電話機のメモリ18に記録可能にする。カレンダー25には、予定表イベントに近いまたはその日の設定時間にユーザに注意を促す自動通知システムが設けられる。
【００３０】
発信者ID処理26は、発信者の電話番号を含む着呼に関連する信号を復号する。次に、発信者の電話番号は、カバーUI(6)上に表示可能である。
【００３１】
プライバシースタンプ処理27により、ユーザは、プライバシースタンプ31を添付することによって、特定のメモリ内容に「プライベート」としてマークすることが可能になる。「プライベート」としてマークされたメモリ内容は、電話機のカバーUI(6)上に表示されなくなる。
【００３２】
図5を参照すると、本発明の実施形態によるプライバシースタンプ31は、電話機の個人用電話帳28の特定の連絡先が「プライベート」でマーク可能であるように準備される。本実施形態によると、工程S5.1において、携帯電話機の送受話器1が電話を受信するなどのトリガー事象が起こると、制御部17は、発信者ID信号を復号し、工程S5.2に示されるように、発信者の番号が個人用電話帳28の連絡先の名前に保存されているか否かを確認するようにメモリ18と通信する。工程S5.3aを参照すると、発信者の番号が個人用電話帳28に保存されていない場合、制御部17は、図6に示されるように、発信者IDを表示するようにカバーUI(6)に指示する。
【００３３】
発信者の番号が、個人用電話帳28の連絡先の名前に保存されている場合、制御部17は、図5の工程S5.3bにおいて、該当する連絡先が「プライベート」でマークされているか否かをさらに確認する。工程S5.4aを参照すると、連絡先が「プライベート」でマークされていない場合、制御部17は、連絡先の名前を表示するようにカバーUI(6)に指示する。ディスプレイは、図6に示されるようになるが、その他に、メモリ18の個人用電話帳28に保存された連絡先情報から取り出された連絡先の名前も表示される。
【００３４】
図5の工程S5.4bを参照すると、連絡先が「プライベート」でマークされている場合、制御部17は、図7に示されるように、着呼が「プライベート」であるという警告をユーザに表示するように、カバーUI(6)に指示する。発信者IDを閲覧するためには、電話機のユーザは、電話機1のヒンジ接合部4を開放して、発信者IDが常時表示されるメインUI(5)を閲覧する。この時、ユーザは、確実に自分だけが発信者の詳細を見ることにする。次に、ユーザは、電話機のキーパッド8上のキーを押すことによって呼に応答することができる。
【００３５】
発信者の番号が「プライベート」でマークされた連絡先と一致しない場合、ユーザが電話機の送受話器1のヒンジ接合部4を開放すると、呼は自動的に応答される。
【００３６】
さらに、プライバシースタンプ31は、電話機のカレンダー29に保存されたイベントを「プライベート」でマーク可能であるように設けられることが可能である。図8を参照すると、工程S8.1およびS8.2において、特定のカレンダーイベントに設定された通知警告が作動されるなどのトリガー事象が起こると、制御部17は、カレンダーイベントが「プライベート」でマークされているか否かを確認するようにメモリ18と通信する。
【００３７】
イベントが「プライベート」でマークされている場合、制御部17は、工程S8.3bに示されるように、「個人用カレンダーイベント」を示す警告をユーザに表示するように、カバーUI(6)に指示する。カレンダーイベントを閲覧するためには、電話機のユーザは、電話機1のヒンジ接合部4を開放して、カレンダーイベントが常時表示されるメインUI(5)を閲覧する。
【００３８】
カレンダーイベントがプライベートでマークされていない場合、制御部17は、工程S8.3aに示されるように、カレンダーイベントを表示するようにカバーUI(6)に指示する。
【００３９】
本発明に係るプライバシースタンプ31は、携帯電話機1のメモリ18内に含まれるオペレーティングソフトウェア19を介して設定される。ソフトウェア19は、電話機のキーパッド8を介して操作されるユーザメニューの形式をとり、携帯電話機1のメインUI(5)によって表示される。
【００４０】
図9を参照すると、個人用電話帳28は、ソフトウェア19のユーザメニューを介してアクセスされる。個人用電話帳28は、連絡先の名前のリストの形式をとる。各連絡先の個人的な詳細は、個人用オプションメニュー32によって編集可能であり、またこの個人用オプションメニュー32は、カーソル33を移動させて所望の連絡先を選択することによってアクセスされる。
【００４１】
図10を参照すると、個人用オプションメニュー32は、プライバシースタンプ31を設定するためのオプションを提供する。プライバシースタンプ31は、カーソル33を移動させて「プライバシースタンプ」を選択することによってアクセスされる。
【００４２】
図11を参照すると、プライバシースタンプ31は、次に、特定の連絡先の名前に添付されて、携帯電話機の個人用電話帳28に保存される。また同様の方法によって、携帯電話機のカレンダー29に保存された予定表イベントに、プライバシースタンプ31を添付することも可能である。
【００４３】
図12を参照すると、本発明の代替的実施形態において、移通信装置は単一のユーザインターフェース35を有するモノブロック型携帯電話機34を備える。さらに、前述した送受話器1と同様に、モノブロック型送受話器34には、スピーカ7、キーパッド8、アンテナ9、マイク10、SIMカード11、SIMカードリーダー12、増幅部13、14、RFサブシステム15、コーデック16、ミクロ制御部17、およびメモリ18が設けられる。
【００４４】
本発明の範囲は携帯電話機に限定されず、携帯情報端末（PDA）や、Skypeなどのピアツーピアのインターネットアプリケーションを操作するパーソナルコンピュータなどのその他の種類の通信装置にも適用可能であることを理解されたい。さらに、プライバシースタンプのフィルタリング作用は、ユーザインターフェースを有するあらゆる種類の受信側の局に適用可能である。
【図面の簡単な説明】
【００４５】
【図１】ヒンジ接合部は閉鎖位置にある場合の、ヒンジ接合部によって連結される底部および蓋部を有する折り畳み式携帯電話機を示す。
【図２】ヒンジ接合部は開放位置にある場合の、ヒンジ接合部によって連結される底部および蓋部を有する折り畳み式携帯電話機を示す。
【図３】メインUI(5)およびカバーUI(6)を備える携帯電話機のブロック図である。
【図４】携帯電話機のオペレーティングソフトウェア19の構造を示す図である。
【図５】着信電話に関するプライバシースタンプの操作に関連する工程を示すフロー図である。
【図６】呼を受信し、かつ発信者IDをカバーUIに表示する携帯電話機を示す。
【図７】発信者IDが表示されないプライベートの連絡先からの呼を受信する携帯電話機を示す。
【図８】電話機のカレンダーにおける予定表エントリの作動に関する、プライバシースタンプの操作に関連する工程を示すフロー図である。
【図９】個人用電話帳を表示するメインUIを示す。
【図１０】個人用電話帳内の個人用オプションメニューを表示するメインUIを示す。
【図１１】個人用電話帳を表示するメインUIを示し、その中の1つの連絡先がプライバシースタンプPでマークされている。
【図１２】モノブロック型携帯電話機を示す。
【図１】
2009518987.tif 000003
【図２】
2009518987.tif 000004
【図３】
2009518987.tif 000005
【図４】
2009518987.tif 000006
【図５】
2009518987.tif 000007
【図６】
2009518987.tif 000008
【図７】
2009518987.tif 000009
【図８】
2009518987.tif 000010
【図９】
2009518987.tif 000011
【図１０】
2009518987.tif 000012
【図１１】
2009518987.tif 000013
【図１２】
2009518987.tif 000014
【国際調査報告】
2009518987.tif 000015
2009518987.tif 000016
2009518987.tif 000017